【手続補正書】
【提出日】平成15年8月21日(2003.8.21)
【手続補正１】
【補正対象書類名】明細書
【補正対象項目名】特許請求の範囲
【補正方法】変更
【補正の内容】
【特許請求の範囲】
【請求項１】
電気コネクタであって：
開口と、偏倚可能な端子を有する相手方コネクタを収容するための領域を形成する噛合いインターフェースとを有する絶縁コネクタボディと；
端子をコネクタボディに保持するためにコネクタボディの開口に保持された保持部と、この保持部とコネクタボディから延びかつ相手方コネクタの偏倚可能な端子に係合可能な噛合い部とを有する端子と；
相手方コネクタの偏倚可能な端子の先端部を受入れるために、コネクタボディにおける保持部の近部の領域に設けられ、噛合いインターフェースに沿って開口と連通した第１凹部と；
を備えた電気コネクタ。
【請求項２】
第２凹部を保持部の近部のコネクタボディの領域に更に備えていて、第１凹部は、第２凹部の位置に対向した保持部の一側に配置され、第１凹部は、第２凹部から側方にオフセットしている請求項１に記載の電気コネクタ。
【請求項３】
前記端子は、前記保持部から延びた装着部をさらに備えていて、前記装着部は、コネクタを基板に装着するために装着部に取着された溶融可能部材を有する請求項１に記載の電気コネクタ。
【請求項４】
前記端子は、ブレードタイプのコンタクトである請求項１に記載の電気コネクタ。
【請求項５】
電気コネクタであって：
ベースを有するコネクタボディを備え；
ボディ内の端子通路を備え、また、ベース内のリリーフ領域を備え；
端子通路内に配置された導電性端子を備え、この端子は、コネクタボディのベース内に設けられた装着部と、２つの片持ちばり状コンタクトアームとを有し、このコンタクトアームは、コンタクトを噛合いコネクタに係合するために装着部から延びていて、アームの一部分がリリーフ領域内に配置され、また、アームの残りの部分がボディから延びていて；
前記アームは、前記相手方コネクタとの係合中に互いに離間して偏倚する；電気コネクタ。
【請求項６】
前記コネクタボディは、噛合いインターフェースと装着面とを形成し、前記リリーフ領域は、噛合いインターフェースの近部に配置され、コンタクトアームの先端部は、このリリーフ領域を越えて延びている請求項５に記載の電気コネクタ。
【請求項７】
第１のリリーフ領域が、端子通路の一側の近部に配置され、第２のリリーフ領域が端子通路の反対側の近部に配置されている請求項５に記載の電気コネクタ。
【請求項８】
前記端子は、前記アームに対向した装着部をさらに備え、前記装着部は、それに取着されコネクタを基板に装着するための溶融部材を有する請求項５に記載の電気コネクタ。
【請求項９】
電気的相互連結装置であって：
第１コネクタを備え、この第１コネクタは：
ベースと、噛合いインターフェースとを有するコネクタボディを備え；
このコネクタボディ内の端子収容通路を備え；
ベースから延び前記噛合いインターフェースを通過したコンタクト端子
を備え、前記端子は通路内の保持部と噛合い部を有し；
通路の保持部の近部でコネクタボディのベースに設けられた凹設領域を
備え；
第２コネクタを備え、この第２コネクタは：
前記噛合いインターフェースで第１コネクタと噛合い、かつ、ベースを
有するボディを備え；
第１コネクタのコンタクト端子と係合し、前記第１コネクタの前記端子
の前記噛合い部と構造的に異なる噛合い部を有する偏倚可能なコンタクト
端子を備え、第２コネクタのコンタクト端子の先端部は、第１コネクタが
第２コネクタと噛合い、第１コネクタのコンタクト端子が第２コネクタの
コンタクト端子を偏倚した場合に、第１コネクタのボディのベース内の凹
設領域内に配置されている；
電気的相互連結装置。
【請求項１０】
凹設領域の一部は、端子収容通路と連続している請求項９に記載の電気的相互連結装置。
【請求項１１】
第１と第２コネクタのコンタクト端子は、第１と第２のコネクタを各基板に取着するために、溶融可能部材を有する装着部を各有する請求項９に記載の電気的相互連結装置。
【請求項１２】
第２のコネクタの前記コンタクト端子を収容するために、前記第２のコネクタの前記ボディ内に通路をさらに備えていて、前記第１のコネクタの前記コンタクト端子の先端部は、前記第１と第２のコネクタの噛合い中前記通路内に存在する請求項９に記載の電気的相互連結装置。
【請求項１３】
電気コネクタ用コンタクト端子であって：
コネクタボディに固定可能で平面にあるほぼ平坦なベース部を備え；
このベース部から離間して実質的に共通な方向へ延びた一対の片持ち梁状コンタクトアームを備え、前記各アームは、前記ベース部から離間して互いに他方のアームと関連されていず；
少なくとも一方の片持ち梁状コンタクトアームは、ベース部の平面外の方向へ分岐していて、ベースから長手方向に離隔した他方のアームとともに湾曲部を形成し、各アームの先端領域近部のコンタクト部を形成し、少なくとも一方のアームのコンタクト部は相手方端子を係合するために前記ベース部の前記平面に向けて延びていて；
前記アームの少なくとも一方に保持構造部を備え、この保持構造部は、前記湾曲部と前記コンタクト部との間に配置されている；
電気コネクタ用コンタクト端子。
【請求項１４】
コンタクトアームは、側方にオフセットしている請求項１３に記載の電気端子。
【請求項１５】
コンタクト部は、前記平面に向かって分岐している少なくとも１つのコンタクトアームの一部分によって形成されている請求項１３に記載の端子。
【請求項１６】
保持構造部は、アームの両側にある請求項１３に記載のコンタクト端子。
【請求項１７】
電気コネクタであって：
噛合いインターフェースと装着面とを有するコネクタボディを備え；
前記ボディに挿入可能であって、噛合い部と保持部とを有するコンタクト端子を備え；
このコンタクト端子を収容するためのボディ内の通路とを備え、この通路は噛合いインターフェースから装着面に向かって延び、コンタクト端子の保持部を収容するための保持部を有し；
少なくとも前記コンタクトの挿入に先立って通路内に延びた傾斜した保持突起を備え；
突起の少なくとも一部分を収容するために、コンタクト端子に形成された突起収容構造部を備えた；
電気コネクタ。
【請求項１８】
前記突起は、通路の長手方向軸線とほぼ平行な方向に細長く形成されている請求項１７に記載の電気コネクタ。
【請求項１９】
突起収容構造部は、コンタクト端子の保持部を通って延びた開口を備えた請求項１７に記載の電気コネクタ。
【請求項２０】
突起は、互いにほぼ対向しかつ離隔している請求項１９に記載の電気コネクタ。
【請求項２１】
低背相互連結装置であって：
第１コネクタを備え、この第１コネクタは：
絶縁ベースを備え、この絶縁ベースは、噛合い面と、前記噛合い面で前
記ベース内に延びた凹部とを有し；
前記ベース内にあり前記噛合い面を通って延びたブレードタイプのコン
タクトを備え；
第２コネクタを備え、この第２コネクタは：
第２コネクタが前記第１コネクタと噛合う場合に前記第１コネクタの前
記噛合い面のほぼ近部に配置された噛合い面を有する絶縁ベースを備え；
前記ベース内にありかつ前記噛合い面を通って延びた二重ビームタイプ
のコンタクトを備え；
前記第１と第２コネクタの前記コンタクトは、前記第１と第２コネクタのベースからほぼ離間した位置で噛合い始め、前記第２コネクタの前記コンタクトの一部分は、前記第１コネクタの前記ベース内の前記凹部内にある；
低背相互連結装置。
【請求項２２】
前記第２コネクタは、前記第２コネクタの前記コンタクトを前記ベース内に配置するために前記ベースの開口をさらに備えていて、前記第１コネクタの前記コンタクトの一部分は、前記第２コネクタの前記開口内にある請求項２１に記載の低背相互連結装置。
【請求項２３】
前記第１と第２コネクタの前記ベースは、周壁をさらに各備えていて、前記周壁は前記第１と第２コネクタの噛合い中重なり合っている請求項２１に記載の低背相互連結装置。
【請求項２４】
前記第１と第２コネクタは、前記第１と第２コネクタを各基板に取着するために前記コンタクトの装着部に取着された溶融可能な部材をさらに各備えている請求項２１に記載の低背相互連結装置。